(57)【要約】【課題】  持ち運びやすく、使いやすいメガホンを提供する。【解決手段】  大開口端と小開口端を有する中空状のラッパ形筒体であり、該小開口端の付近により外径が小さい首部が設けられるメガホンであって、前記メガホンの外側に開口が形成されると共に、内部に離間プレートが設けられ、該開口に該離間プレートと一体に形成される円筒状の音声発生部材が設けられ、該離間プレートがメガホンの内部空間を気体吹込部と気体排出部に分けると共に、該離間プレートに気体吹込部と気体排出部を連通する連通孔が形成され、前記音声発生部材はメガホンの外側に位置する外端とメガホンの内部に位置する内端を有し、該外端の端末に該外端を封閉するフィルムが設けられ、該音声発生部材の内端の内側に外端へ伸びると共に、該フィルムと接触する離間リングが設けられることにより、該音声発生部材の内部空間を内部と外部に分け、該内部は前記気体排出部と連通し、該外部は前記連通孔を介して気体吹込部と連通することを特徴とする。【選択図】  図１
0003126050.tif 000002
【実用新案登録請求の範囲】
【請求項１】
大開口端と小開口端を有する中空状のラッパ形筒体であり、該小開口端の付近により外径が小さい首部が設けられるメガホンであって、
前記メガホンの外側に開口が形成されると共に、内部に離間プレートが設けられ、該開口に該離間プレートと一体に形成される円筒状の音声発生部材が設けられ、該離間プレートがメガホンの内部空間を気体吹込部と気体排出部に分けると共に、該離間プレートに気体吹込部と気体排出部を連通する連通孔が形成され、
前記音声発生部材はメガホンの外側に位置する外端とメガホンの内部に位置する内端を有し、該外端の端末に該外端を封閉するフィルムが設けられ、該音声発生部材の内端の内側に外端へ伸びると共に、該フィルムと接触する離間リングが設けられることにより、該音声発生部材の内部空間を内部と外部に分け、該内部は前記気体排出部と連通し、該外部は前記連通孔を介して気体吹込部と連通することを特徴とするメガホン。
【請求項２】
前記音声発生部材は前記首部と大開口端との間に位置されることを特徴とする請求項１に記載のメガホン。
【請求項３】
前記気体吹込部と連通孔との間に通路を有する筒状ブロックが設けられることを特徴とする請求項１又は２に記載のメガホン。
【請求項４】
前記音声発生部材の外端に係脱自在のフィルムカバーが設けられ、該フィルムカバーに前記フィルムが設けられ、該フィルムカバーの内側にねじ山が形成され、該音声発生部材の外端の外側にフィルムカバーのねじ山と螺合するねじ山が形成されることを特徴とする請求項１又は２に記載のメガホン。
【請求項５】
前記音声発生部材の外端に係脱自在のフィルムカバーが設けられ、該フィルムカバーに前記フィルムが設けられ、該フィルムカバーの内側にねじ山が形成され、該音声発生部材の外端の外側にフィルムカバーのねじ山と螺合するねじ山が形成されることを特徴とする請求項３に記載のメガホン。
【考案の詳細な説明】
【技術分野】
【０００１】
本考案は、特に持ち運びやすく、使いやすいメガホンに関するものである。
【背景技術】
【０００２】
一般に、試合会場で自分の応援する野球チームやサッカーチームに応援するためにメガホンやガスホン等の応援具がよく使用されている。前記ガスホンを使用する場合には、放出したガスにより空気汚染の心配があると共に、ガスを使い尽くしたガス缶を捨てると、環境に悪影響を与えてしまうので、繰り返して使えるメガホンはガスホンの代わりに人気が向上していく。
【０００３】
台湾実用新案登録第Ｍ２６４６１３号「多功能のメガホン」又は図４に示すように、従来のメガホンは、本体（３０）と気体吹込パイプ（４０）を有し、該本体（３０）は、大開口端（３１）と小開口端（３２）を有する中空状のラッパ形筒体であり、該小開口端（３２）の付近に外径がより小さい首部（３３）が設けられ、該小開口端（３２）に該小開口端を封閉するためのフィルムゴム（３４）が設けられ、該首部（３３）の内部と小開口端（３２）との間に一端が該フィルムゴム（３４）と接触する離間リング（３５）が設けられることにより、首部（３３）から小開口端（３２）までの内部空間を内部（３６）と外部（３７）に分け、該内部（３６）が首部（３３）の内部空間と連通され、又、前記本体（３０）の外側に外部（３７）と連通する気体吹込パイプ（４０）が設けられ、気体を該気体吹込パイプ（４０）から外部（３７）に注入した後、該気体がフィルムゴム（３４）を振動させ、フィルムゴム（３４）の振動によりフィルムゴム（３４）と離間リング（３５）の一端との間に隙間（符号なし）が形成され、気体が該隙間を通じて大開口端（３２）へ排出することができ、又、フィルムゴム（３４）を振動する際、音を発生させることができる。
【特許文献１】台湾実用新案登録第Ｍ２６４６１３号
【考案の開示】
【考案が解決しようとする課題】
【０００４】
しかしながら、前記気体吹込パイプ（４０）が本体（３０）の外側に延出するように設けられるため、携帯及び使用時、非常に不便である。
【０００５】
そこで、案出されたのが本考案であって、持ち運びやすく、使いやすいメガホンを提供することを目的としている。
【課題を解決するための手段】
【０００６】
本願の請求項１の考案は、大開口端と小開口端を有する中空状のラッパ形筒体であり、該小開口端の付近により外径が小さい首部が設けられるメガホンであって、
前記メガホンの外側に開口が形成されると共に、内部に離間プレートが設けられ、該開口に該離間プレートと一体に形成される円筒状の音声発生部材が設けられ、該離間プレートがメガホンの内部空間を気体吹込部と気体排出部に分けると共に、該離間プレートに気体吹込部と気体排出部を連通する連通孔が形成され、
前記音声発生部材はメガホンの外側に位置する外端とメガホンの内部に位置する内端を有し、該外端の端末に該外端を封閉するフィルムが設けられ、該音声発生部材の内端の内側に外端へ伸びると共に、該フィルムと接触する離間リングが設けられることにより、該音声発生部材の内部空間を内部と外部に分け、該内部は前記気体排出部と連通し、該外部は前記連通孔を介して気体吹込部と連通することを特徴とするメガホン、を提供する。
【０００７】
本願の請求項２の考案は、前記音声発生部材は前記首部と大開口端との間に位置されることを特徴とする請求項１に記載のメガホン、を提供する。
【０００８】
本願の請求項３の考案は、前記気体吹込部と連通孔との間に通路を有する筒状ブロックが設けられることを特徴とする請求項１又は２に記載のメガホン、を提供する。
【０００９】
本願の請求項４の考案は、前記音声発生部材の外端に係脱自在のフィルムカバーが設けられ、該フィルムカバーに前記フィルムが設けられ、該フィルムカバーの内側にねじ山が形成され、該音声発生部材の外端の外側にフィルムカバーのねじ山と螺合するねじ山が形成されることを特徴とする請求項１又は２に記載のメガホン、を提供する。
【００１０】
本願の請求項５の考案は、前記音声発生部材の外端に係脱自在のフィルムカバーが設けられ、該フィルムカバーに前記フィルムが設けられ、該フィルムカバーの内側にねじ山が形成され、該音声発生部材の外端の外側にフィルムカバーのねじ山と螺合するねじ山が形成されることを特徴とする請求項３に記載のメガホン、を提供する。
【考案の効果】
【００１１】
本考案は上記の課題を解決するものであり、気体が小開口端からメガホンに吹き込まれた後、音声発生部材におけるフィルムが振動することにより、音を発生させることができ、又、該音声発生部材はメガホンから延出せずに設けられるので、持ち運びやすく、実用性に優れる設計となっている。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係るメガホンの斜視図であり、図２は本考案に係るメガホンの断面図であり、図３は本考案に係るメガホンの分解斜視図である。
【００１４】
図１及び図２に示すように、本考案に係るメガホン（１０）は、大開口端（１１）と小開口端（１２）を有する中空状のラッパ形筒体であり、該小開口端（１２）の付近により外径を小さい首部（１３）が設けられ、該メガホン（１０）の外側に開口（１４）が形成されると共に、内部に離間プレート（２４）が設けられ、該開口（１４）に該離間プレート（２４）と一体形成する円筒状の音声発生部材（２０）が設けられ、該離間プレート（２４）がメガホン（１０）の内部空間を気体吹込部（１７）と気体排出部（１８）に分けると共に、該離間プレート（２４）に気体吹込部（１７）と気体排出部（１８）を連通する連通孔（２４１）が形成され、前記音声発生部材（２０）はメガホン（１０）の外側に位置する外端（２１）とメガホン（１０）の内部に位置する内端（２２）を有し、該外端（２１）の端末に該外端（２１）を封閉するフィルム（２３１）が設けられ、該音声発生部材（２０）の内端（２２）の内側に外端（２１）へ伸びると共に、該フィルム（２４１）と接触する離間リング（２５）が設けられることにより、該音声発生部材（２０）の内部空間を内部（２６）と外部（２７）に分け、該内部（２６）は前記気体排出部（１８）と連通し、該外部（２７）は前記連通孔（２４）を介して気体吹込部（１７）と連通する。又、前記音声発生部材（２０）は前記首部（１３）と大開口端（１１）との間に位置される。
【００１５】
前記気体吹込部（１７）と連通孔（２４）との間に通路（１６）を有する筒状ブロック（１５）が設けられることにより、気体を小開口端（１２）から吹き込んだ後、連通孔（２４）へ集中することができる。
【００１６】
又、図３に示すように、該音声発生部材（２０）の外端（２１）に係脱自在のフィルムカバー（２３）が設けられ、該フィルムカバー（２３）に前記フィルム（２３１）が設けられ、該フィルムカバー（２３）の内側にねじ山（符号なし）が形成され、該音声発生部材（２０）の外端（２１）の外側にフィルムカバー（２３）のねじ山と螺合するねじ山（２１１）が形成され、該フィルム（２３１）の厚さはメガホン（１０）から発音する音の音調に影響を与え、異なる厚さを有するフィルム（２３１）により、メガホン（１０）から異なる音を発音することができる。
【産業上の利用可能性】
【００１７】
本考案は上記の構成にり、気体が小開口端からメガホンに吹き込まれた後、音声発生部材におけるフィルムが振動することにより、音を発生させることができ、又、該音声発生部材はメガホンから延出せずに設けられるので、持ち運びやすく、実用性に優れる設計となっている。
【図面の簡単な説明】
【００１８】
【図１】本考案に係るメガホンの斜視図である。
【図２】本考案に係るメガホンの断面図である。
【図３】本考案に係るメガホンの分解斜視図である。
【図４】従来のメガホンの断面図である。
【符号の説明】
【００１９】
１０    メガホン            １１    大開口端
１２    小開口端            １３    首部
１４    開口        １５    筒状ブロック
１６    通路        １７    気体吹込部
１８    気体排出部          ２０    音声発生部材
２１    外端        ２１１  ねじ山
２２    内端        ２３    フィルムカバー
２３１  フィルム            ２４    離間プレート
２４１  連通孔              ２５    離間リング
２６    内部        ２７    外部
３０    本体        ３１    小開口端
３２    大開口端            ３３    首部
３４    フィルムゴム ３５    離間リング
３６    内部        ３７    外部
４０    気体吹込パイプ
【図１】
0003126050.tif 000003
【図２】
0003126050.tif 000004
【図３】
0003126050.tif 000005
【図４】
0003126050.tif 000006
【手続補正書】
【提出日】平成18年7月31日(2006.7.31)
【手続補正１】
【補正対象書類名】明細書
【補正対象項目名】００１７
【補正方法】変更
【補正の内容】
【００１７】
本考案は上記の構成により、気体が小開口端からメガホンに吹き込まれた後、音声発生部材におけるフィルムが振動することにより、音を発生させることができ、又、該音声発生部材はメガホンから延出せずに設けられるので、持ち運びやすく、実用性に優れる設計となっている。